(57)【要約】【課題】  高所に生る、捻転収穫する種類の果実を容易に、且つ効率的に収穫できる軽便な果実収穫器を提供する。【解決手段】  長柄（１）の先端に椀状の受け囲い（５）を取り付け、該受け囲いの中に、ゴム等の弾力性素材で作られた深皿状の回転皿（６）を配置して、該回転皿をクラウンギヤ（８）、ピニオンギヤ（９）、フレキシブルシャフト（１１）を介して、長柄の後端部に装着した原動機（１４）と係合させる。更に受け囲いの後壁面をくり抜き、該くり抜き箇所に、布、ビニールシート地などで作られた、果樹の上から地面まで届く長さの送実ダクト（２）を接続する。  使用方法は、原動機を起動して回転皿を回転させながら長柄を持って器具を支え上げ、目的の果実を受け囲いの中に導く。果実が回転皿によって捻転させられ、枝を離れたら器具全体を立てて、送実ダクト内に転落させて収穫する。【選択図】図１
0003138057.tif 000002
【実用新案登録請求の範囲】
【請求項１】
深皿状、すり鉢状、もしくは広口篭状の部品が椀状の囲いの中で回転する構造を具備した果実収穫器。
【請求項２】
上縁に弾力性素材で作られたリングを有し、布、ビニールシート地、網地、その他これに類する柔軟な素材で作られた椀状の囲いを具備した、請求項１の果実収穫器。
【請求項３】
鋼線を螺旋巻きしたアウターチューブが、多数の細い鋼線を撚って作られたインナーケーブルを外筒状に包んだ構造にあって、且つその片側終端部で該アウターチューブの端末部材が該インナーケーブルの端末部材に当接するか、もしくは接合した構造のケーブルワイヤーを線状駆動力伝達部材として具備した、請求項１の果実収穫器。
【考案の詳細な説明】
【技術分野】
【０００１】  本考案は果樹栽培に於いて高所に生る果実を収穫する為の果実収穫器に関するものである。
【背景技術】
【０００２】  これまでにも多数の収穫器具が考案され、中には大量収穫処理ができる大規模な機械も開発されてはいるが、多くの果実では熟す時期が一つひとつ異なるため、個々の実の熟し具合を確認しながらの収穫作業となり、大幅な自動化は困難である。果実を手動で収穫する各種器具も開発されてはいるが、その多くは必ずしも効率的な作業ができる物とは言えない。【０００３】  果樹の中には容易に手が届く高さに実が生るもの、棚架けにより作業性を良くして栽培するものなどがあるが、多くは手が届き難い場所に実が生る。その場合収穫が梯子、脚立などを用いての作業となるが、作業者から少し離れた位置に生る果実をもぎ取る場合はその都度脚立などを移動させねばならず、効率的ではない。特に最近では農業従事者の高齢化により、そうした作業が次第に難儀なものとなりつつある。一方果実によっては比較的雑に扱っても傷付く心配の少ない物、あるいは加工目的の為外傷を問題視しない種類もあり、そのようなケースでは少しでも作業効率の向上が求められる。
【考案の開示】
【考案が解決しようとする課題】
【０００４】  斯様な現状に鑑み高所の、もしくは手が届き難い場所に生る、捻転して収穫する種類の果実を一つひとつ楽に、しかも効率よく収穫する比較的軽便な器具を提供する為に本考案がなされた。
【課題を解決させる為の手段】
【構成】
【０００５】  本考案の果実収穫器の主要部分は長柄（１）の先端に装着され、該長柄の後端に原動機（１４）が装着される。長柄は作業に適した長さの棒又はパイプで、その先端近くでやや湾曲している。
【０００６】  長柄の先端部にはブラケット（３）が緩装されており、該ブラケットに送実ダクト（２）、受け囲い（５）の上縁リング（５ｂ）及び容器状部（５ｃ）、ギヤケース（７）などの器具主要部分が装着されている。また、該ブラケットの上には握りボルト（４）がある。すなわち、器具主要部分は長柄先端部より垂下した状態で、握りボルトによって回動規制されている。
【０００７】  送実ダクト（２）は布もしくはビニールシート地などでできた筒で、長柄とほぼ並行するように後下方に伸び、その全長は最高部に生る果実から地面に届く長さである。
【０００８】  該送実ダクトの前端には椀状の受け囲い（５）があり、該受け囲いは上から上縁リング（５ｂ）、幕状部（５ａ）、容器状部（５ｃ）の三部品で構成されている。上縁リングは細いステンレス鋼線、樹脂棒などの弾力性素材で作られた輪で、その一点がブラケット（３）の上端近くに支持されており、該上縁リングの下には布、ビニールシート地、網地などの柔軟な素材で作られた略円筒状の幕状部（５ａ）が垂下している。すなわち上縁リングと幕状部とは捕虫網と同様の状態にある。該幕状部の後壁面がくり抜かれ、そこに送実ダクトの開口部が接続されており、さらに該幕状部の下には容器状部（５ｃ）が接続されている。上縁リングは前方に向かって傾き、幕状部前壁が低くなっている。
【０００９】  受け囲い（５）の容器状部（５ｃ）内には、ゴム等の弾力性素材で作られた、もしくは弾力性素材で内側表面が覆われた深皿状の回転皿（６）がある。
【００１０】  容器状部の下にはギヤケース（７）があり、該ギヤケース内のクラウンギヤ（８）が上の回転皿に接続しており、該クラウンギヤと直角軸で噛合するピニオンギヤ（９）が、フレキシブルシャフト（１１）を介して、長柄後端に装着された原動機（１４）と係合している。フレキシブルシャフトはフレキシブルチューブ（１０）の中に挿通されており、該フレキシブルチューブは固定バンド（１２）によって長柄に沿って固定されている。
【００１１】  原動機（１４）は小型のエンジンもしくは電動モーターである。
【各部品の働きと相互関係】
【００１２】  長柄（１）は、使用者から手が届き離い場所に生る果実へのアプローチを容易にし、同時に器具全体を支える働きをする。
【００１３】  送実ダクト（２）は、収穫した果実を樹上より地面に誘導する働きをし、ブラケット（３）は送実ダクト及びギヤケース（７）、受け囲いの容器状部（５ｃ）等の器具主要部を支持する。握りボルト（４）は目的の果実の向きに応じて器具主要部の姿勢角度を維持する働きをする。すなわち器具主要部分は、フレキシブルチューブが許容する範囲内で、姿勢角度の調節が可能である。
【００１４】  受け囲い（５）は、収穫しようとする果実を回転皿（６）に誘導する働きをし、回転皿は該果実を捻転して枝から分離させる。その際、特に果梗をほとんど持たない小さな果実を収穫するケースでは、弾力性素材で作られた上縁リング（５ｂ）と柔軟な素材で作られた幕状部（５ａ）が枝などに当って変型し、果実が回転皿に近づくことを容易にする。
【００１５】  回転皿（６）の回転力は、フレキシブルシャフト（１１）、ピニオンギヤ（９）、クラウンギヤ（８）を介して原動機（１４）より得られる。
【使用方法】
【００１６】  収穫した果実を収集する容器を予め果樹の下に準備し、その中に送実ダクト（２）の下端を差し入れて置く。
【００１７】  原動機（１４）を起動して回転皿（６）を回転させる。
【００１８】  収穫しようとする果実が傾いている場合は、握りボルト（４）を緩めて器具主要部分の姿勢角度を調整する。
【００１９】  器具先端部分を支え上げ、収穫しようとする果実を受け囲い（５）の中に導く。
【００２０】  果実が回転皿に触れて捻転され、枝から分離したら、長柄全体を立てて収穫した果実を送実ダクト（２）の中に転落させて収穫する。
【考案の効果】
【００２１】  本考案の収穫器を用いることにより、高所の、もしくは使用者の立脚位置からやや離れた場所に生る果実のもぎ取り収穫作業が軽減され、作業効率が向上する。
【その他実施例】
【００２２】  ここまで深皿状の回転皿（６）が回転して果実を捻転する構造について説明したが、目の粗い篭状の部品を回転させることによっても同じ作用効果が得られる。篭状の回転バスケット（６’）を装着した第二実施例を図３に示す。
【００２３】  また、これまで長柄の後端部に装着した原動機（１４）の回転力をフレキシブルシャフト（１１）、ピニオンギヤ（９）、クラウンギヤ（８）を介して回転皿に伝える方式について説明したが、対象の果実が小さく、従って器具主要部を小さく軽量化でき、回転エネルギーとしても多くを必要としない場合は、回転皿の直下にモーターを配置して構造を簡素化することも可能である。回転皿の直下にモーターを配置した第三実施例を図４に示す。
【００２４】  さらに、これまで原動機を装備して、回転皿が常時回転する方式をもって説明したが、長柄の手元に取り付けたハンドルと回転皿とを適当な線状駆動力伝達部材で係合させることによって、手動で操作する方式も考え得る。長柄後端近くに取り付けたハンドル（２１）と器具主要部とをいわゆるボーデンケーブルで係合させ、スプリング（１９）によって付勢された内接セクタギヤ（１７）とピニオンギヤ（１８）とを介して回転皿を回転させる方式の第四実施例を図５に示す。ハンドルの構造並びに使用方法についての説明は、実用新案登録第３１１６４３０号、第３１１７２１８号、第３１２４３６３号、第３１２５０００号に記述されているので省略する。
【考案を実施する為の最良の形態】
【００２５】  収穫する果実への影響を最少にするには回転皿の回転速度を相当低くする必要がある。原動機の出力側に減速機を装備するか、電気的に回転を抑制する装置を具備することが望まれる。
【図面の簡単な説明】
【００２６】
【図１】は本考案の器具全体を示す側断面図である。
【図２】は本考案の器具全体を示す外観斜視図である。
【図３】は篭状部品を用いた第二実施例を示す部分側断面図である。
【図４】は回転皿の直下にモーターを配置した第三実施例を示す部分側断面図である。
【図５】は手動ハンドルを用いた第四実施例での器具全体を示す側断面図である。
【図６】は本考案の器具を用いて、果梗がほとんどない、比較的小さな果実を収穫する時の状態を示した部分外観斜視図である。
【符号の説明】
【００２７】  １：長柄、  １’：長柄、  １ａ’：引き出し口、  １ｂ’：引き出し口、  ２：送実ダクト、  ３：ブラケット、  ３’：ブラケット  ３”：ブラケット、  ４：握りボルト、  ５：受け囲い、  ５ａ：幕状部、  ５ｂ：上縁リング、  ５ｃ：容器状部、  ６：回転皿、  ６’：回転バスケット、  ７：ギヤケース、  ８：クラウンギヤ、  ９：ピニオンギヤ、  １０：フレキシブルチューブ、  １１：フレキシブルシャフト、  １２：固定バンド、  １３：ブラケット、  １４：原動機、  １４’：モーター、  １５：電源コード、  １６：ギヤケース、  １７：内接セクタギヤ、  １８：ピニオンギヤ、  １９：スプリング、  ２０：ケーブルワイヤー、  ２０ａ：インナーケーブル、  ２０ｂ：可動アウターチューブ、  ２０ｃ：端末スリーブ、  ２０ｄ：端末係止部材、  ２０ｅ：固定アウターチューブ、  ２１：ハンドル、  ２２：握りボルト、  ２３：レバー、  ２３ａ：レバー下片、  ２３ｂ：レバー上片、  ２４：スプリング。
【図１】
0003138057.tif 000003
【図２】
0003138057.tif 000004
【図３】
0003138057.tif 000005
【図４】
0003138057.tif 000006
【図５】
0003138057.tif 000007
【図６】
0003138057.tif 000008